(57)【特許請求の範囲】
【請求項１】
先端にかぎ部が設けられ、円形断面を有する直線棒状の針体と、この針体の先端部を突出させるようにして基端側を覆うグリップ体とを備えるかぎ針であって、
上記グリップ体は、円形断面を有する基端部と、この基端部の先端側に設けられるとともに外周の一側に凹部が形成された握持部とを備え、
上記凹部は、上記かぎ部の掛止部を設けた側に形成されるとともに、長手方向中央部が窪む断面弧状に形成されており、
上記針体の軸先端が、上記基端部の軸に対して、上記凹部を設けた側と反対側に変位して設けられているとともに、
上記掛止部の半径方向外方面が、上記基端部の軸に平行で上記凹部の底面位置を通る延長線上から半径方向外方側で、かつ、上記凹部を設けた側の基端部表面の延長線上から半径方向内方側に位置するように構成されており、
上記凹部を設けた側と上記基端部の軸を挟んで反対側に、上記基端部の表面より半径方向外方に向けて膨出する第１の膨出部を設ける一方、
上記凹部の底面における上記基端部の軸と直交する方向の両側縁部に、上記基端部の表面より半径方向外方に膨出する第２の膨出部を設けた、かぎ針。
【請求項２】
上記針体の軸が、上記基端部の軸に対して、上記凹部を設けた側と反対側に０．４°〜０．６°傾斜して設けられている、請求項１に記載のかぎ針。
【請求項３】
上記凹部は、上記基端部の表面より１〜２ｍｍの最大深さで形成されている、請求項１又は請求項２に記載のかぎ針。
【請求項４】
上記握持部は、上記凹部の底面と、上記第１の膨出部と上記第２の膨出部の間に設けられる一対の握持面から構成された断面三角形状に形成されている、請求項１から請求項３のいずれか１項に記載のかぎ針。
【請求項５】
上記断面三角形状の各辺を含む各握持面は、内方に窪む曲面状に形成されている、請求項４に記載のかぎ針。
【請求項６】
上記第１の膨出部及び上記第２の膨出部は、上記基端部の表面から２〜３ｍｍの最大高さで膨出するように形成されている、請求項１から請求項５のいずれか１項に記載のかぎ針。
【請求項７】
上記針体の上記凹部に対応する部分が偏平状に形成されている、請求項１から請求項６のいずれか１項に記載のかぎ針。
【請求項８】
上記針体は、上記グリップ体の先端部から３０〜４０ｍｍの長さで延出させられている、請求項１から請求項７のいずれか１項に記載のかぎ針。
【請求項９】
上記針体が金属から形成されているとともに、
上記グリップ体が、軟質弾性材料から形成されている、請求項１から請求項８のいずれか１項に記載のかぎ針。
【請求項１０】
請求項１から請求項９に記載された、かぎ針用グリップ体。
【発明の詳細な説明】
【技術分野】
【０００１】
本願発明は、手芸用のかぎ針及びかぎ針用グリップ体に関する。詳しくは、使用時の滑りを防止できるとともに、手指と一体感のある編み作業を行うことができるかぎ針に係るものである。
【０００２】
従来、手編み作業において、全体が棒状の金属で形成されるとともに、先端に編み糸を引っ掛けるかぎ部を設けたかぎ針が用いられることが多い。
【０００３】
上記金属製のかぎ針は、手指に比べて全体が細く形成されているため滑り易く、手指で安定して握持することが困難であった。また、手指の握持力をかぎ針に効果的に作用させることがきないため、長時間にわたって編み作業を行うと、手指が疲れやすいという問題があった。
【０００４】
上記問題を緩和するため、手指で握持する位置に、柔軟な樹脂材料から形成されたグリップ体を設け、握持し易く構成したものが提供されている。
【先行技術文献】
【特許文献】
【０００５】
【特許文献１】実用新案登録第１３０８５０号
【発明の概要】
【発明が解決しようとする課題】
【０００６】
上記特許文献に記載されている発明では、かぎ部を先端に設けた金属製の針体において、手指で握持する部分を含む基端側にグリップ体が設けられている。
【０００７】
かぎ針を用いた手編み作業における疲労感を緩和するには、かぎ針に握持力を効果的に作用させて、できるだけ小さな力でかぎ針を握持して作業を行うことができるとともに、かぎ針を手指と一体感をもって操作できることが重要である。
【０００８】
上記特許文献に記載されている発明では、手指で握持する部分に針体より太く形成されたグリップ体を設けているため握持し易く、また握持するのに必要な力をある程度軽減することができる。ところが、上記のようなグリップ体を設けたかぎ針では、グリップ体の断面が針体より大きくなるため、小さな力で握持し易い反面、編み作業において編み糸をすくいにくくなり、また、手指との一体感が低下するという問題があった。
【０００９】
本願発明の発明者は、上記一体感が低下する原因が、グリップ体を設けることによって、針体先端部に設けられるかぎ部の手指に対する位置が、従来のかぎ針のかぎ部の位置から変位することが原因であることを見出した。
【００１０】
すなわち、上記グリップ体を設けることにより、従来の棒状の針体を直接握持して作業を行う場合に比べて、グリップ体の厚み分針体の表面から離間した位置を手指で握持することになる。このため、上記かぎ部からの距離や角度も異なることになり、握持位置によっては、編み糸をかぎ部ですくいにくくなったり、手指とかぎ針との一体感が低下するといった問題が発生しやすかった。
【００１１】
本願発明は、上記課題を解決し、握持し易いばかりでなく、手指と一体感をもって編み作業を行うことができるかぎ針を提供することを課題とする。
【課題を解決するための手段】
【００１２】
本願発明に係るかぎ針は、  先端にかぎ部が設けられ、円形断面を有する直線棒状の針体と、この針体の先端部を突出させるようにして基端側を覆うグリップ体とを備えるかぎ針であって、上記グリップ体は、円形断面を有する基端部と、この基端部の先端側に設けられるとともに外周の一側に凹部が形成された握持部とを備え、上記凹部は、上記かぎ部の掛止部を設けた側に形成されるとともに、長手方向中央部が窪む断面弧状に形成されており、上記針体の軸先端が、上記基端部の軸に対して、上記凹部を設けた側と反対側に変位して設けられているとともに、上記掛止部の半径方向外方面が、上記基端部の軸に平行で上記凹部の底面位置を通る延長線上から半径方向外方側で、かつ、上記凹部を設けた側の基端部表面の延長線上から半径方向内方側に位置するように構成されており、上記凹部を設けた側と上記基端部の軸を挟んで反対側に、上記基端部の表面より半径方向外方に向けて膨出する第１の膨出部を設ける一方、上記凹部の底面における上記基端部の軸と直交する方向の両側縁部に、上記基端部の表面より半径方向外方に膨出する第２の膨出部を設けて構成されている。
【００１３】
本願発明の発明者は、試行錯誤の結果、上記かぎ部の位置を、親指で握持する位置を基準として所定の位置に設けることにより、上記不都合を回避することができることを見出した。すなわち、手編み作業を行う際に、かぎ針の掛止部の動きに最も関与しているのは親指であり、親指の位置を基準として上記かぎ部の位置を所定の位置に設定することにより、編み糸がすくい易くなるとともに、かぎ針と手指との一体感を得られることを見出した。
【００１４】
従来のかぎ針のグリップ体には、親指の位置決めを行う部位が設けられることがなく、使用者の好みに応じた位置に親指を添えて握持できるように構成されていた。このため、グリップ体を設けることによって、親指が針体から離間した状態になるばかりでなく、親指の軸方向位置が定まらない。このため、親指に対するかぎ部の位置が定まらず、編み糸をすくいにくくなったり、かぎ針と手指との一体感が低下する等の問題が生じた。
【００１５】
また、本願発明の発明者は、かぎ針と手指の一体感を得るために、親指で握持する部分（グリップ体の表面）から基端部の軸方向（グリップ体の軸方向）の延長線上に、上記かぎ部の掛止部を設定するのが好ましいことを見出した。
【００１６】
本願発明では、基端部と、この基端部の先端側に設けられるとともに外周の一側に凹部が形成された握持部とを備えるグリップ体を設ける。上記基端部の断面形態は特に限定されることはないが、円形断面が変化しない棒状に形成するのが好ましい。なお、本願発明では、上記基端部を、上記握持部の寸法及び形態の基準として用いている。上記凹部は、上記かぎ部の掛止部を設けた側に形成されるとともに、長手方向中央部が窪む断面弧状に形成されている。このため、上記凹部に親指を添えて握持部を握持することにより、親指の軸方向位置及び周方向位置を定めることが可能となる。また、上記凹部は、グリップ体の周面を切り欠くように形成されているため、親指の握持位置が針体側に変位させられる。このため、親指の握持位置から上記基端部の軸方向の延長線上に、上記かぎ針の掛止部を設けることができる。
【００１７】
さらに、上記針体の軸先端を、上記基端部の軸に対して、上記凹部を設けた側と反対側に変位して設けることにより、編み糸をすくい易くなることを見出した。すなわち、編み作業においては、先端に設けたかぎ部を、編み込んだ編成体の所定の隙間に挿入し、編み糸をすくう動作が繰り返される。上記編成体は、通常親指より下側に位置するため、上記かぎ部を上記凹部を設けた側と反対側、すなわち、親指で握持する側から反対側へ変位させることにより、上記動作において編み糸をすくい易くなるのである。特に本願発明では、上記凹部を設けることにより親指の握持位置を上記針体に近接させることができるため、上記針体の先端、すなわち、かぎ部の掛止部を親指の延長線上に設定し、かつ、上記基端部の軸に対して、上記凹部を設けた側と反対側に変位して設けることが可能となった。
【００１８】
上記針体の先端の変位量は特に限定されることはないが、たとえば、針体のグリップ体からの突出量が３５ｍｍの場合、上記基端部の軸と直交する方向へ０．４〜１ｍｍ変位させるのが好ましい。また、上記基端部の軸に対して、上記凹部を設けた側と反対側に変位させる手法は特に限定されることはない。たとえば、直線状の針体を、上記基端部の軸に対して、上記凹部を設けた側と反対側に０．４°〜０．６°傾斜して設けることができる。なお、上記変位量は、グリップ体の太さや、針体の突出量に応じて変更できる。
【００１９】
上記針体の上記傾斜角度が０．４°より小さい場合、針体の先端部の変位量が小さくなって、上記効果を期待できない。一方、０．６°より大きくなると、グリップ体を設けることができなくなる。なお、上記の角度範囲内で、親指の握持位置から上記軸方向の延長線上に、上記掛止部が位置するように設定するのが好ましい。また、上記針体のグリップ体から延出する部分のみを所定角度で曲折して傾斜させることもできる。
【００２０】
上記針体を、上記凹部を設けた側と反対側に向けて傾斜させることにより、針体のかぎ部の位置が、従来のかぎ針に比べて上記握持位置から反対側へ変位させられる。この構成によって、かぎ部を編成体の編み目に挿入しやすくなるとともに、編み糸をすくい易くなる。このため、これまでにない感触でかぎ針を握持して編み作業を行うことができるとともに、長時間使用しても疲れにくいかぎ針を構成できる。
【００２１】
また、上記凹部を設ける部位において、上記グリップ体の厚みが小さくなる。このため、親指を確実に位置決めできる深さの凹部を設けられなかったり、凹部の底部におけるグリップ体の厚みが小さくなってグリップ体の強度が低下したり、握持感が低下するという問題が生じる。本願発明では、上記針体を傾斜して設けることにより、凹部を設ける部位においてグリップ体の厚みを増加させることができる。このため、所要の深さの凹部を設けることができるという効果もある。
【００２２】
さらに、上記凹部の深さを確保するために、上記針体における上記凹部に対応する部分を偏平状に形成するのが好ましい。この構成を採用することにより、より深さの大きな凹部を設けることが可能となる。また、凹部の底面の上記軸方向延長線上に、上記かぎ部を設定することも容易になる。
【００２３】
上記凹部は、上記基端部の表面より１〜２ｍｍの深さで形成するのが好ましい。これにより、親指を所定位置に位置決めすることができるとともに、握持部との間の軸方向の滑りを防止できる。また、小さな握持力でかぎ針を安定して握持することが可能となる。上記凹部の深さが１ｍｍ以下であると、親指を確実に掛止することできない。一方、２ｍｍ以上の深さの凹部を設けることは困難であり、また、他の部位におけるグリップ体の厚みが大きくなって使用感が低下する。
【００２４】
さらに、上記凹部を設けた側と上記軸を挟んで反対側に、上記基端部の表面より半径方向外方に向けて膨出する第１の膨出部を設けるのが好ましい。また、上記凹部の底面における上記軸と直交する方向の両側縁部に、上記基端部の表面より半径方向外方に膨出する第２の膨出部を設けるのが好ましい。上記各膨出部は、上記凹部の底面に対応する部分において最大高さで膨出するとともに、上記軸に沿う断面を弧状に形成するのが好ましい。
【００２５】
上記各膨出部を設けることにより、これら膨出部間に、人差指及び中指を位置させる握持面を形成することができる。これにより、親指によって作用する押圧力を、人差指と中指とで確実にバックアップすることができる。また、所要の握持力を低減させることができるとともに、操作性が向上する。
【００２６】
上記各膨出部の形態は特に限定されることはないが、上記膨出部を、上記基端部の表面から、２〜３ｍｍの最大高さで形成するのが好ましい。これにより、十分な握持力を作用ささせることができる握持面を設けることができる。
【００２７】
上記基端部を、円形断面を有する棒状に形成するとともに、上記掛止部の半径方向外方面が、上記基端部の軸に平行で上記凹部の底面位置を通る延長線上から半径方向外方側で、かつ、上記凹部を設けた側の基端部表面の延長線上から半径方向内方側に位置するように構成するのが好ましい。上記構成によって、編み糸を掛止する掛止部が、親指の握持位置（表面位置）から基端部の軸方向のほぼ延長線上に設定される。このため、編み糸をすくい易くなるとともに、かぎ針と手指との一体感を得ることができる。
【００２８】
通常、上記握持部は、親指と人差指と中指の間で握持される。握持部をより安定して握持するために、上記凹部を設けた部位の上記基端部の軸に直交する断面を、上記凹部の底面と、上記第１の膨出部と上記第２の膨出部間に形成される一対の握持面とで構成される三角形状とするのが好ましい。この構成を採用することにより、各指を安定して位置決めして握持することができる。特に、軸周りの手指の角度位置を確実に設定できるため、かぎ針の操作性が向上する。また、操作に必要な握持力を低減させることもできる。さらに、初心者でも、かぎ針の握持位置を容易に見出すことができるため、初心者用のかぎ針としても好適なものとなる。
【００２９】
また、各指先と握持部とのフィット感を高めるため、上記凹部の底面、及び一対の上記握持面を、内方に窪む曲面状に形成するのが好ましい。上記曲面の窪み量は特に限定されることはない。たとえば、０．０２ｍｍから０．１２ｍｍの窪みを形成することにより効果を期待できる。
【００３０】
上記針体の上記グリップ体から延出する部分の長さは特に限定されることはないが、上記グリップの先端部から３０〜４０ｍｍの長さで延出させるのが好ましい。延出量が３０ｍｍより小さいと、掛止部が親指に近接しすぎて掛止部の移動範囲が小さくなり、操作性が低下する。一方、４０ｍｍより大きくなると、掛止部の移動範囲が大きくなりすぎて、編み糸をすくいにくくなる。上記延出長さを確保した上で、上記掛止部を上述した位置に設定するのが好ましい。
【発明の効果】
【００３１】
手指の滑りを防止できるとともに、手指を所定位置に位置決めして編み作業を行うことができ、手指と一体感をもって操作できるかぎ針を提供できる。
【図面の簡単な説明】
【００３２】
【図１】本願発明に係るかぎ針の全体斜視図である。
【図２】図１に示すかぎ針の正面図である。
【図３】図１に示すかぎ針の平面図である。
【図４】図２におけるＩＶ−ＩＶ線に沿う断面図である。
【図５】図２におけるＶ−Ｖ線に沿う断面図である。
【図６】図２におけるＶＩ−ＶＩ線に沿う断面図である。
【図７】図２におけるＶＩＩ−ＶＩＩ線に沿う断面図である。
【図８】図２におけるＶＩＩＩ−ＶＩＩＩ線に沿う断面図である。
【図９】図２の要部拡大図である。
【図１０】図３の要部拡大図である。
【図１１】図２に示すかぎ針の左側面の拡大図である。
【発明を実施するための形態】
【００３３】
以下、本願発明に係る実施形態を図に基づいて説明する。
【００３４】
図１に示すように、本実施形態に係るかぎ針１は、金属から形成された針体２と、上記針体２の基端側２ａを覆うように一体成形された樹脂製のグリップ体３とを備えて構成されている。上記針体２の先端部には、編み糸をすくうようにして掛止できるかぎ部４が形成されている。
【００３５】
上記針体２は、種々の金属で形成することができる。たとえば、ステンレス鋼等の鉄系材料やアルミ合金等で形成することができる。また、上記グリップ体３を形成する手法及び材料も特に限定されることはない。たとえば、上記針体２をインサートした射出成形によって形成することができる。また、上記グリップ体３を別途形成するとともに、上記針体２を上記グリップ体３に設けた軸孔に嵌入して一体化することもできる。上記グリップ体３は、種々の材料を用いて形成することができる。たとえば、シリコンエラストマー等の種々のエラストマー樹脂からなる弾性材料で形成するのが好ましい。
【００３６】
上記グリップ体３は、針体２の基端側に設けられた基端部５と、先端側に設けられた握持部６とを備えて構成されている。上記基端部５は、図８に示すように、長手方向の軸９に直交する断面がほぼ円形に形成されており、軸９の方向に断面が変化しない形態に形成されている。以下に説明するように、上記グリップ体３の断面は、図４に示す断面から図８に示す断面に滑らかに変化させられている。
【００３７】
図２に示すように、上記握持部６には、外周の一側を弧状に切り欠くようにして凹部７が形成されている。上記凹部７は、上記かぎ部４の掛止部８を設けた側に長手方向中央部が窪む断面弧状に形成されている。また、図９に示すように、上記凹部７の軸方向両端部は、ほぼ上記基端部５の半径方向高さに設定されているとともに、軸方向中央部が半径方向内方に窪むように形成されており、上記軸９に沿う断面の縁部が弧状に形成されている。本実施形態では、上記凹部７は、軸方向長さが、Ｌ２＝約３０ｍｍに設定されているとともに、中央部がグリップ体の先端からＬ３＝約１８ｍｍとなる軸方向位置に設定されている。また、上記凹部７の上記中央部における深さＨ１は、上記基端部５の表面５ａからＨ１＝約１．５ｍｍに設定されている。
【００３８】
上記凹部７は、親指によって握持される。上記凹部７を設けることにより、親指が軸方向に滑るのを阻止できるとともに、上記親指の軸方向位置を位置決めすることが可能となる。上述したように、本実施形態では、上記凹部７の軸方向中央が上記グリップ体３の先端からＬ３＝約１８ｍｍの位置に設定されているため、親指もこの位置を握持するように位置決めされる。上記針体２の上記グリップ体先端からの突出長さはＬ１＝約３５ｍｍであり、これにより、上記親指と上記針体２の先端部の間の距離が設定される。
【００３９】
図２に示すように、上記針体２は、上記凹部７の深さを確保するために、上記凹部７に対応する部分が偏平状に形成されている。これにより、上記凹部７の深さを確保することが容易になる。
【００４０】
図９及び図１１に示すように、上記握持部６において、上記凹部７を設けた側と上記軸９を挟んで反対側に、上記基端部の表面より半径方向外方に向けて膨出する第１の膨出部１０が形成されている。上記第１の膨出部１０は、上記基端部５の表面より半径方向外方に膨出するとともに、上記軸９に沿う断面の縁部が弧状に形成されている。また、図５及び図１１に示すように、上記凹部７の底面７ａにおける上記軸９と直交する方向の両側縁部に、上記基端部５の表面より半径方向外方に膨出する第２の膨出部１１，１１が設けられている。上記第２の膨出部は、上記凹部７の底面を軸９と直交する方向に広げる形態で形成されている。上記膨出部１０，１１，１１を設けた部位は、上記各膨出部をつなぐようにして形成された三角形状の断面形態となるように構成されている。
【００４１】
上記膨出部１０，１１，１１を設けることにより、握持部６の断面を大きく設定して、親指によって作用する押圧力を、人差指と中指とで確実にバックアップすることができる。このため、握持し易くなくとともに所要の握持力を低減させることができる。また、かぎ針の操作性も向上する。
【００４２】
図９に示すように、本実施形態における上記第１の膨出部１０は、上記基端部５の表面からＨ２＝約２ｍｍの最大高さで形成されている。また、上記第２の膨出部も、図１１に示すように、上記基端部５の表面からＨ３＝約２ｍｍの最大高さで形成されている。そして、これら膨出部間の部分を平面状に形成して、人差指及び中指で握持する握持面１０ａ，１０ｂを設けている。この構成によって、人差指及び中指で握持する面積を確保し、十分な握持力を作用させることができるように構成している。
【００４３】
さらに、図５に示すように、上記握持部６における断面三角形状を構成する上記凹部の底面７ａ、上記膨出部の握持面１０ａ．１０ｂを、中央部が内側に若干窪む曲面状に形成するのが好ましい。上記各握持面７ａ，１０ａ，１０ｂの中央部を窪ませることにより、これら部位の表面に当接する各指が滑りにくくなるとともに、各指を所定位置に確実に位置決めすることが可能となる。上記窪みの深さは特に限定されることはない。たとえば、上記凹部７の底面７ａの窪み量を、０．１３〜０．１５ｍｍに設定するとともに、上記膨出部１０の握持面１０ａ，１０ｂの窪み量を０．０２〜０．０３ｍｍに設定するのが好ましい。
【００４４】
さらに、図９及び図１１に示すように、本実施形態では、上記掛止部８の半径方向外方面８ａが、上記凹部７の底面７ａから半径方向外方側で、かつ、上記基端部５の表面より半径方向内方側に位置するように構成している。すなわち、上記掛止部８の位置を、親指側に変位させて設けている。この構成を採用することにより、編み糸を掛止する掛止部８が、親指の握持位置（底面７ａ）から軸９に平行な延長線上に設定される。このため、編み糸をすくい易くなるとともに、かぎ針と手指との一体感を得ることができ、さらに長時間の作業しても疲れにくいかぎ針１を構成できる。
【００４５】
また、図９に示すように、上記針体２は、上記基端部５の軸９に対して上記凹部７を設けた側と反対側に、針体の軸２ｃをθ＝０．５°傾斜して設けている。上記角度θは、上記グリップ体３の寸法や形状、上記掛止部８の半径方向位置等に応じて変更することができる。上記グリップ体３の厚みや凹部７の深さを確保するために、θ＝０．４〜０．６°の範囲に設定するのが好ましい。
【００４６】
上記針体２を、上記凹部７を設けた側と反対側に向けて傾斜させることにより、針体２のかぎ部４の位置が、従来のかぎ針に比べて上記握持位置から反対側へ変位させられる。この構成によって、かぎ部４を編成体の編み目に挿入しやすくなるとともに、編み糸をすくい易くなる。このため、これまでにない感触でかぎ針を握持して編み作業を行うことができとともに、長時間使用しても疲れにくいかぎ針を構成できる。
【００４７】
また、上記凹部７を設ける部位において、上記グリップ体の厚みが小さくなる。このため、親指を確実に位置決めできる深さの凹部７を設けられなかったり、凹部７の底部におけるグリップ体３の厚みが小さくなってグリップ体の強度が低下したり、握持感が低下するという問題が生じる。本願発明では、上記針体２を傾斜して設けることにより、凹部７を設ける部位においてグリップ体の厚みを増加させることができる。このため、所要の深さの凹部を設けることができるという効果もある。
【００４８】
上記各構成を採用することにより、手指の滑りを防止できるとともに、各指をグリップ部の所定位置に位置決めすることが可能となる。これにより、編み糸がすくい易くなるとともに、手指と一体感をもって操作できるかぎ針を提供することができる。
【００４９】
本願発明の範囲は、上述の実施形態に限定されることはない。今回開示された実施形態は、すべての点で例示であって、制限的なものでないと考えられるべきである。本願発明の範囲は、上述した意味ではなく、特許請求の範囲によって示され、特許請求の範囲と均等の意味及び範囲内でのすべての変更が含まれることが意図される。
【産業上の利用可能性】
【００５０】
握持しやすいばかりでなく、疲れにくく、また、手指と一体感をもって編み作業を行うことができるかぎ針を提供できる。
【符号の説明】
【００５１】
１    かぎ針
２    針体
２ａ  針体の基端側
２ｃ  針体の軸
３    グリップ体
４    かぎ部
５    基端部
６    握持部
７    凹部
８    掛止部
８ａ  掛止部の半径方向外方面
９    基端部（グリップ体）の軸
１０    第１の膨出部
１０ａ  握持面
１０ｂ  握持面
１１    第２の膨出部
Ｌ１    針体の突出長さ
Ｌ２    凹部の軸方向長さ
Ｌ３    グリップ体の先端部から凹部の中央部までの軸方向長さ
Ｈ１    凹部の基端部表面からの深さ
Ｈ２    第１の膨出部の基端部表面からの高さ
Ｈ３    第２の膨出部の基端部表面からの高さ
【図１】
0006482788.tif 000002
【図２】
0006482788.tif 000003
【図３】
0006482788.tif 000004
【図４】
0006482788.tif 000005
【図５】
0006482788.tif 000006
【図６】
0006482788.tif 000007
【図７】
0006482788.tif 000008
【図８】
0006482788.tif 000009
【図９】
0006482788.tif 000010
【図１０】
0006482788.tif 000011
【図１１】
0006482788.tif 000012